(57)【要約】【課題】洒脱なスタンプを提供する。【解決手段】印面３が設けられた台部材２を備え、該台部材２は、印面３と対向する対向面と対向面以外の側面２ｃを備え、該側面２ｃに、印面３による印影と異なる柄Ａが印刷されたスタンプ１を提供する。【選択図】図１
0003204458.tif 000002
【実用新案登録請求の範囲】
【請求項１】
印面が設けられた台部材を備え、該台部材は、印面と対向する対向面と該対向面以外の側面を備え、該側面に、印面による印影と異なる柄が印刷されたことを特徴とするスタンプ。
【請求項２】
前記側面は、大きさの異なる複数の側面部を備え、印影と異なる柄が印刷された側面は、複数の側面部のうちの大きな側面部であることを特徴とする請求項１に記載のスタンプ。
【請求項３】
印影と異なる柄が表示された前記大きな側面部には、対向面及び小さな側面部の下地とは異なる色の下地が施されたことを特徴とする請求項２に記載のスタンプ。
【請求項４】
前記台部材は四角柱を呈し、対向する大きな側面部のうちの、少なくとも一方に、前記柄が印刷されていることを特徴とする請求項２又は３に記載のスタンプ。
【請求項５】
前記台部材において、前記大きな側面部は、柄の外縁に倣う形状であることを特徴とする請求項２乃至４のいずれか１項に記載のスタンプ。
【請求項６】
前記大きな側面部は、平面であることを特徴とする請求項２乃至５のいずれか１項に記載のスタンプ。
【請求項７】
柄及び下地は、同系色の組み合わせにより形成されていることを特徴とする請求項３乃至６のいずれか１項に記載のスタンプ。
【請求項８】
前記対向面は、印面の印影が施された見出し面であることを特徴とする請求項１乃至７のいずれか１項に記載のスタンプ。
【考案の詳細な説明】
【技術分野】
【０００１】
本考案は、印影として、例えば、住所、氏名、社名などの情報を刻設した印面が設けられたスタンプに関する。
【背景技術】
【０００２】
従来のこの種のスタンプ１０は、図４に示すように、例えば直方体形状の台部材１１を備える。該台部材１１の底面１１ａには、例えば合成ゴムを板状に形成し、その表面に印影、例えば、住所、氏名、社名などの情報を刻設した印面１２が設けられている。該印面１２とは反対側の台部材１１の上面１１ｂには、前記印影が印刷された所謂見出し１３が設けられている（特許文献１参照）。
【先行技術文献】
【特許文献】
【０００３】
【特許文献１】実開平７−４０１５５号公報
【考案の概要】
【考案が解決しようとする課題】
【０００４】
ところで、前記従来のスタンプ１０の台部材１１には、印面１２と見出し１３とが設けられているだけであるから無味乾燥であり、洒脱性に欠けるという問題がある。
【０００５】
そこで、本考案は、かかる事情に鑑み、洒脱なスタンプを提供することを課題とする。
【課題を解決するための手段】
【０００６】
本考案に係るスタンプは、印面が設けられた台部材を備え、該台部材は、印面と対向する対向面と該対向面以外の側面を備え、該側面に、印面による印影と異なる柄が印刷されたことを特徴とする。
【０００７】
かかる構成によれば、印面と対向する対向面と該対向面以外の側面に、印面による印影と異なる柄が印刷されている。このため、住所、会社名、注意事項などの無味乾燥な印影が押印されるスタンプであっても、スタンプに、柄による華やかさや楽しさを添えることが可能になり、購買意欲を向上させられる。なお、ここでいう、印刷とは、塗布も含むものとする。
【０００８】
また、本考案の一態様として、前記側面は、大きさの異なる複数の側面部を備え、印影と異なる柄が印刷された側面は、複数の側面部のうちの大きな側面部であることが好ましい。
【０００９】
かかる構成によれば、柄が目立つので目視しやすく、商品としてのスタンプの宣伝効果が向上する。また、柄が印刷されたスタンプを所有することで、個人が使用するための識別性が高くなる。
【００１０】
また、本考案の他態様として、印影と異なる柄が表示された前記大きな側面部には、対向面及び小さな側面部の下地とは異なる色の下地が施されることが好ましい。
【００１１】
かかる構成によれば、大きな側面部の下地と、対向面及び小さな側面部の下地とは、異色同士の組み合わせのため、柄を引き立たせることができる。
【００１２】
また、本考案の他態様として、前記台部材は四角柱を呈し、対向する大きな側面部のうちの、少なくとも一方に、前記柄が印刷されていることが好ましい。
【００１３】
かかる構成によれば、四角柱の台部材の対向する大きな側面部のうちの、少なくとも一方に柄が印刷されることで、柄が目立って目視しやすく、購買意欲がそそられる。
【００１４】
また、本考案の他態様として、前記台部材において、前記大きな側面部は、柄の外縁に倣う形状であることが好ましい。
【００１５】
かかる構成によれば、スタンプを棚などに飾ることにより、装飾性が向上するからいっそう洒脱である。
【００１６】
本考案の他態様として、前記大きな側面部は、平面であることが好ましい。
【００１７】
かかる構成によれば、大きな側面部であるため、印刷が施しやすい。
【００１８】
本考案の他態様として、柄及び下地は、同系色の組み合わせにより形成されていることが好ましい。
【００１９】
かかる構成によれば、柄及び下地に統一感があって、いっそう洒脱である。
【００２０】
本考案の他態様として、前記対向面は、印面の印影が施された見出し面であることが好ましい。
【００２１】
かかる構成によれば、印面による印影を容易に認識できる。
【考案の効果】
【００２２】
以上の如く、本考案によれば、洒脱なスタンプを提供することができる。
【図面の簡単な説明】
【００２３】
【図１】図１は、本考案の一実施形態に係るスタンプを示す斜視図。
【図２】図２は、スタンプの変形例を示し、宝石とリボンとが組み合わされた柄に応じた台部材を備えたスタンプを示す斜視図。
【図３】図３は、スタンプの変形例を示し、ドレスの柄に応じた台部材を備えたスタンプを示す斜視図。
【図４】図４は、従来のスタンプを示す斜視図。
【考案を実施するための形態】
【００２４】
以下、本考案の一実施形態に係るスタンプについて図面を参照しつつ説明する。
【００２５】
本実施形態に係るスタンプ１は、図１に示すように、例えば四角柱（直方体形状）の台部材２を備える。具体的に、台部材２は、底面２ａと、該底面２ａに対向する上面２ｂと、底面２ａ及び上面２ｂ以外に、対向する２つの大きな側面部２ｃ，２ｃと、該２つの大きな側面部２ｃ，２ｃと隣接する２つの小さな側面部２ｄ，２ｄと、を有する。
【００２６】
底面２ａには、例えば合成ゴムを板状に形成し、その表面に印影、例えば、住所、氏名、社名などの情報を刻設した印面３が設けられる。具体的に、印面３は、矩形状で、住所、氏名、社名などの情報が横列又は縦列に配置されている。また、印面３には、住所、氏名、社名などの情報以外に花柄などの装飾Ｂが対角に刻設されている。
【００２７】
上面２ｂには、印面３と同じ印影が印刷（塗布も含む）された所謂見出し（図示せず）が設けられる。具体的に、見出しは、印面３と同様に、住所、氏名、社名などの文字が横並びに配置される。
【００２８】
２つの大きな側面部２ｃ，２ｃには、２つの小さな側面部２ｄ，２ｄとは異なる下地が印刷（塗布も含む）されるとともに、印影と異なる柄Ａが印刷されている。具体的には、２つの小さな側面部２ｄ，２ｄには、ピンク色の下地が印刷され、２つの大きな側面部２ｃ，２ｃのそれぞれには、白色の下地が印刷された上に、赤色やピンク色などからなる下地の白色に合った同系色の色彩模様が施されている。色彩模様としては、例えば、花びらの柄Ａが印刷されている。これにより、柄Ａ及び下地に統一感があって、洒脱である。このため、住所、会社名、注意事項などの無味乾燥な印影が押印されるスタンプ１であっても、柄Ａによる華やかさや楽しさを添えることができるスタンプ１となっている。また、大きな側面部２ｃ，２ｃは、平面であり、印刷が施しやすい。
【００２９】
スタンプ１を使用する場合は、台部材２の印面３を下側にした状態で、台部材２の２つの大きな側面部２ｃ，２ｃを指で摘んで、図示しないスタンプ台のインクに台部材２の印面３を押し付けて、インクを印面３に付着させ、この状態で、例えば紙面に印面３を押し付けて印面３に付着したインクを紙面に転写することで、印面３の印影を紙面に表示する。
【００３０】
また、スタンプ１は、机上や引出し内に、印面３を下側にして置かれている場合、２つの大きな側面部２ｃ，２ｃの柄Ａが目立つので目視しやすく、商品としてのスタンプ１の宣伝効果が向上する。また、柄Ａが印刷されたスタンプ１を所有することで、個人が使用するための識別性が高くなる。
【００３１】
また、スタンプ１は、店頭に陳列されている場合、２つの大きな側面部２ｃ，２ｃの柄Ａが目立つので目視しやすく、購買意欲の向上に寄与する。また、購入後、スタンプ１を目にしたものに対する興味を与えやすいという効果が期待できる。また、本実施形態によるスタンプ１は、その洒脱性から、自ら使用するのに適するばかりでなく、贈答品とすることも適している。
【００３２】
このように、本実施形態によれば、洒脱なスタンプを提供することができる。
【００３３】
なお、本考案は、前記実施形態に限定されるものではなく、本考案の要旨を逸脱しない範囲で種々の変更が可能である。
【００３４】
例えば、前記実施形態の場合、２つの大きな側面部２ｃ，２ｃのそれぞれに柄Ａを印刷するようにしたが、一方のみ印刷するようにしてもよい。
【００３５】
また、前記実施形態の場合、台部材２において、大きな側面部２ｃを四角形としたが、柄の外縁に倣う形状であってもよい。例えば、図２に示すように、宝石とリボンとが組み合わされた柄の外縁に倣う形状の台部材２０を備えたスタンプ５であってもよく、図３に示すように、ドレスの柄の外縁に倣う形状の台部材２１を備えたスタンプ６であってもよい。
【００３６】
また、前記実施形態の場合、台部材２，２０，２１の素材について特に言及しなかったが、木製、樹脂製、金属製のいずれであってもよい。要は、印面３とは異なる柄Ａを印刷できる素材であればよい。
【００３７】
また、前記実施形態の場合、大きな側面２ｃに、下地を印刷した後、柄Ａを印刷するようにしたが、下地なしで、柄Ａのみを印刷するようにしてもよい。
【００３８】
また、前記実施形態の場合、小さな側面２ｄに、大きな側面２ｃで使用した下地の色を印刷するようにしたが、台部材２の素地を生かすべく印刷なしであってもよい。
【００３９】
また、前記実施形態の場合、大きな側面２ｃの下地の色と、小さな側面２ｄの下地の色とを異なるようにしたが、大きな側面２ｃの下地の色と、小さな側面２ｄの下地の色との組み合わせは、自由である。
【００４０】
また、前記実施形態の場合、大きな側面部２ｃでは、白色の下地を印刷した上に、赤色やピンク色などからなる下地の白色に合った同系色の柄Ａを印刷するようにしたが、大きな側面部２ｃにおける柄Ａの色の組み合わせは自由であり、柄Ａの色と下地の色と組み合わせも自由である。
【００４１】
また、前記実施形態の場合、台部材２，２０，２１に柄Ａを直接印刷するようにしたが、柄Ａが印刷されたシールを台部材２，２０，２１に貼着するようにしてもよい。
【符号の説明】
【００４２】
１，５，６…スタンプ、２，２０，２１…台部材、３…印面、２ｃ…大きな側面部、Ａ，Ｂ…柄
【図１】
0003204458.tif 000003
【図２】
0003204458.tif 000004
【図３】
0003204458.tif 000005
【図４】
0003204458.tif 000006